(57)【要約】【課題】ノイズの影響を低減してより高画質の画像を得る。【解決手段】固体撮像装置４は、複数の画素２１の列毎に設けられ対応する列の画素２１からの信号を受け取る複数の垂直信号線２３と、ランプ信号Ｖｒａｍｐ及び基準電圧ＧＮＤに基づいて複数の垂直信号線２３の信号をそれぞれ処理する複数の信号処理部２６とを備える。複数の信号処理部２６におけるランプ信号の入力部を共通に接続する第１の配線６１には、行方向の一方側においてランプ信号がＶｒａｍｐが供給される。複数の垂直信号線２３における基準電圧ＧＮＤの入力部を共通する第２の配線６２には、行方向の前記一方側において基準電圧ＧＮＤが供給されるとともに行方向の他方側において基準電圧ＧＮＤが供給されない。【選択図】図２
2013179479.tif 000002
【特許請求の範囲】
【請求項１】
２次元状に配置された複数の画素と、
前記複数の画素の列毎に設けられ対応する列の画素からの信号を受け取る複数の垂直信号線と、
ランプ信号及び基準電圧に基づいて前記複数の垂直信号線の信号をそれぞれ処理する複数の信号処理部と、
前記複数の信号処理部における前記ランプ信号が入力される第１の入力部を共通に接続し、行方向の一方側において前記ランプ信号が供給される第１の配線と、
前記複数の信号処理部における前記基準電圧が入力される第２の入力部を共通に接続し、行方向の前記一方側において前記基準電圧が供給されるとともに行方向の他方側において前記基準電圧が供給されない第２の配線と、
を備えたことを特徴とする固体撮像装置。
【請求項２】
前記各信号処理部は、前記ランプ信号及び前記基準電圧に基づく比較処理を行うコンパレータを有することを特徴とする請求項１記載の固体撮像装置。
【請求項３】
前記コンパレータは演算増幅器で構成され、
前記各信号処理部は、前記コンパレータの非反転入力端子に接続され前記垂直信号線の信号又はこれに応じた信号をサンプリングするサンプリングスイッチと、一方電極が前記非反転入力端子に接続されるとともに他方電極が前記第１の入力部とされた第１の容量と、一方電極が前記コンパレータの反転入力端子に接続されるとともに他方電極が前記第２の入力部とされた第２の容量と、前記反転入力端子と前記コンパレータの出力端子との間をオンオフする帰還スイッチと、を有する、
ことを特徴とする請求項２記載の固体撮像装置。
【請求項４】
前記複数の垂直信号線の信号が基準信号である場合において前記各信号処理部の前記サンプリングスイッチ及び前記帰還スイッチが一旦同時にオンにされてから同時にオフにされている第１の期間において、前記ランプ信号は漸次変化し、
前記第１の期間の後に前記複数の垂直信号線の信号が前記複数の画素のうちの少なくとも１つの画素で光電変換された光情報を含む光信号である場合において前記各信号処理部の前記帰還スイッチがオフに維持されたまま前記各信号処理部の前記サンプリングスイッチが一旦オンにされてからオフにされている第２の期間において、前記ランプ信号は漸次変化し、
前記第１の期間における前記ランプ信号の変化開始時点から前記第１の期間における前記各信号処理部の前記コンパレータの出力部の信号の反転時点までの経過時間に応じたカウント値、及び、前記第２の期間における前記ランプ信号の変化開始時点から前記第２の期間における前記各信号処理部の前記コンパレータの出力部の信号の反転時点までの経過時間に応じたカウント値を得る計時部を、備えた、
ことを特徴とする請求項３記載の固体撮像装置。
【請求項５】
前記計時部は、前記第１の期間における前記ランプ信号の変化開始時点からクロック信号をカウントするとともに前記第２の期間における前記ランプ信号の変化開始時点からクロック信号をカウントするカウンタと、前記各信号処理部に設けられ、前記カウンタのカウント値が入力されて、前記第１の期間における前記コンパレータの出力部の信号の前記反転時点での前記カウント値、及び、前記第２の期間における前記コンパレータの出力部の信号の前記反転時点での前記カウント値をそれぞれ記憶する記憶部とを、有する、
ことを特徴とする請求項４記載の固体撮像装置。
【請求項６】
前記複数の垂直信号線の信号が基準信号である場合において前記各信号処理部の前記サンプリングスイッチ及び前記帰還スイッチが一旦同時にオンにされてから同時にオフにされている第１の期間において、前記ランプ信号は漸次変化し、
前記第１の期間の後に前記複数の垂直信号線の信号が前記複数の画素のうちの少なくとも１つの画素で光電変換された光情報を含む光信号である場合において前記各信号処理部の前記帰還スイッチがオフに維持されたまま前記各信号処理部の前記サンプリングスイッチが一旦オンにされてからオフにされている第２の期間において、前記ランプ信号は漸次変化し、
各信号処理部は、前記第１の期間における前記ランプ信号の変化開始時点から前記第１の期間における前記各信号処理部の前記コンパレータの出力部の信号の反転時点まで、ダウンモード及びアップモードのうちの一方のモードでカウント動作を行うことによってカウント値を取得し、前記第２の期間における前記ランプ信号の変化開始時点から前記第２の期間における前記各信号処理部の前記コンパレータの出力部の信号の反転時点まで、ダウンモード及びアップモードのうちの他方のモードで前記カウント値からカウント動作を行うカウンタを、有する、
ことを特徴とする請求項３記載の固体撮像装置。
【請求項７】
前記各信号処理部は、前記垂直信号線と前記サンプリングスイッチとの間に設けられた増幅部を有することを特徴とする請求項３乃至６のいずれかに記載の固体撮像装置。
【請求項８】
前記増幅部は、第２の演算増幅器と、前記第２の演算増幅器の反転入力端子に接続された入力容量と、前記第２の演算増幅器の前記反転入力端子と前記第２の演算増幅器の出力端子との間をオンオフする第２の帰還スイッチと、前記第２の演算増幅器の前記反転入力端子と前記第２の演算増幅器の前記出力端子との間に接続された帰還容量と、を有することを特徴とする請求項７記載の固体撮像装置。
【請求項９】
請求項１乃至８のいずれかに記載の固体撮像装置を備えたことを特徴とする電子カメラ。
【発明の詳細な説明】
【技術分野】
【０００１】
本発明は、固体撮像装置及びこれを用いた電子カメラに関するものである。
【背景技術】
【０００２】
下記特許文献１の図３には、「画素部２０」に対する１列分の「ＣＤＳ回路３ａ」の構成が開示されている。
【０００３】
この「ＣＤＳ回路３ａ」には、「画素部２０」から出力された画像信号の入力を制御する「サンプルホールド用スイッチｓｗ１」が設けられている。「サンプルホールド用スイッチｓｗ１」の出力側には、画像信号を保持するための「コンデンサ（サンプルホールド用コンデンサ）Ｃ３１」が接続されている。「コンデンサＣ３１」の、「サンプルホールド用スイッチｓｗ１」の反対側には「コンデンサＣ３１」に保持された画像信号の電位を変化させるランプ信号を供給する「ランプ信号供給源３１ａ」が接続されている。
【０００４】
また、「サンプルホールド用スイッチｓｗ１」と「コンデンサＣ３１」との「接続点（ノード）ｎ１」は、「差動アンプ３３ａ」の非反転入力端子に接続されている。また、反転入力端子とＧＮＤの間には「コンデンサＣ３２」が設けられている。「差動アンプ３３ａ」の出力端子と、反転入力端子と「コンデンサＣ３２」との「接続点ｎ２」との間には、「クランプスイッチｓｗ２」が設けられている。
【先行技術文献】
【特許文献】
【０００５】
【特許文献１】特開２００８−１１２８４号公報
【発明の概要】
【発明が解決しようとする課題】
【０００６】
前記従来の「ＣＤＳ回路３ａ」を「画素部２０」の各列に対して設ける場合、１つの「ランプ信号供給源３１ａ」を各列の「ＣＤＳ回路３ａ」に対して共通して設け、各列の「ＣＤＳ回路３ａ」の「コンデンサＣ３１」のランプ信号入力部を第１の配線で共通に接続し、前記第１の配線の一方側において「ランプ信号供給源３１ａ」を接続し、各列の「ＣＤＳ回路３ａ」の「コンデンサＣ３２」のＧＮＤ電圧入力部（一方電極）を第２の配線で共通に接続し、前記第２の配線に基準電圧としてのＧＮＤ電圧を供給する。このとき、耐ノイズ性を高めるための電気回路設計におけるＧＮＤ電圧供給手法の技術常識に従って、前記第２の配線のできるだけ多くの箇所にＧＮＤ電圧を供給するべく、前記第２の配線の両側をそれぞれ接地することになる。前記第２の配線の両側をそれぞれ接地すれば、前記第２の配線の一箇所のみにＧＮＤ電圧を供給する場合に比べて、外乱等によって第２の配線に乗るノイズが小さくなり、前記第２の配線の耐ノイズ性が高まる。
【０００７】
しかしながら、本発明者の研究の結果、この場合には、前記第２の配線の耐ノイズ性を高めることが逆に、処理後に得られる画像に現れるノイズの影響を増大させる原因になってしまうことが、判明した。この点については、後に、本発明と比較される比較例の説明において詳述する。
【０００８】
本発明は、このような事情に鑑みてなされたもので、ノイズの影響を低減することができ、より高画質の画像を得ることができる固体撮像装置、及び、これを用いた電子カメラを提供することを目的とする。
【課題を解決するための手段】
【０００９】
前記課題を解決するための手段として、以下の各態様を提示する。第１の態様による固体撮像装置は、２次元状に配置された複数の画素と、前記複数の画素の列毎に設けられ対応する列の画素からの信号を受け取る複数の垂直信号線と、ランプ信号及び基準電圧に基づいて前記複数の垂直信号線の信号をそれぞれ処理する複数の信号処理部と、前記複数の信号処理部における前記ランプ信号が入力される第１の入力部を共通に接続し、行方向の一方側において前記ランプ信号が供給される第１の配線と、前記複数の信号処理部における前記基準電圧が入力される第２の入力部を共通に接続し、行方向の前記一方側において前記基準電圧が供給されるとともに行方向の他方側において前記基準電圧が供給されない第２の配線と、を備えたものである。
【００１０】
第２の態様による固体撮像装置は、前記第１の態様において、前記各信号処理部は、前記ランプ信号及び前記基準電圧に基づく比較処理を行うコンパレータを有するものである。
【００１１】
第３の態様による固体撮像装置は、前記第２の態様において、前記コンパレータは演算増幅器で構成され、前記各信号処理部は、前記コンパレータの非反転入力端子に接続され前記垂直信号線の信号又はこれに応じた信号をサンプリングするサンプリングスイッチと、一方電極が前記非反転入力端子に接続されるとともに他方電極が前記第１の入力部とされた第１の容量と、一方電極が前記コンパレータの反転入力端子に接続されるとともに他方電極が前記第２の入力部とされた第２の容量と、前記反転入力端子と前記コンパレータの出力端子との間をオンオフする帰還スイッチと、を有するものである。
【００１２】
第４の態様による固体撮像装置は、前記第３の態様において、（i）前記複数の垂直信号線の信号が基準信号である場合において前記各信号処理部の前記サンプリングスイッチ及び前記帰還スイッチが一旦同時にオンにされてから同時にオフにされている第１の期間において、前記ランプ信号は漸次変化し、（ii）前記第１の期間の後に前記複数の垂直信号線の信号が前記複数の画素のうちの少なくとも１つの画素で光電変換された光情報を含む光信号である場合において前記各信号処理部の前記帰還スイッチがオフに維持されたまま前記各信号処理部の前記サンプリングスイッチが一旦オンにされてからオフにされている第２の期間において、前記ランプ信号は漸次変化し、（iii）前記第１の期間における前記ランプ信号の変化開始時点から前記第１の期間における前記各信号処理部の前記コンパレータの出力部の信号の反転時点までの経過時間に応じたカウント値、及び、前記第２の期間における前記ランプ信号の変化開始時点から前記第２の期間における前記各信号処理部の前記コンパレータの出力部の信号の反転時点までの経過時間に応じたカウント値を得る計時部を、備えたものである。
【００１３】
第５の態様による固体撮像装置は、前記第４の態様において、前記計時部は、前記第１の期間における前記ランプ信号の変化開始時点からクロック信号をカウントするとともに前記第２の期間における前記ランプ信号の変化開始時点からクロック信号をカウントするカウンタと、前記各信号処理部に設けられ、前記カウンタのカウント値が入力されて、前記第１の期間における前記コンパレータの出力部の信号の前記反転時点での前記カウント値、及び、前記第２の期間における前記コンパレータの出力部の信号の前記反転時点での前記カウント値をそれぞれ記憶する記憶部とを、有するものである。
【００１４】
第６の態様による固体撮像装置は、前記第３の態様において、（i）前記複数の垂直信号線の信号が基準信号である場合において前記各信号処理部の前記サンプリングスイッチ及び前記帰還スイッチが一旦同時にオンにされてから同時にオフにされている第１の期間において、前記ランプ信号は漸次変化し、（ii）前記第１の期間の後に前記複数の垂直信号線の信号が前記複数の画素のうちの少なくとも１つの画素で光電変換された光情報を含む光信号である場合において前記各信号処理部の前記帰還スイッチがオフに維持されたまま前記各信号処理部の前記サンプリングスイッチが一旦オンにされてからオフにされている第２の期間において、前記ランプ信号は漸次変化し、（iii）各信号処理部は、前記第１の期間における前記ランプ信号の変化開始時点から前記第１の期間における前記各信号処理部の前記コンパレータの出力部の信号の反転時点まで、ダウンモード及びアップモードのうちの一方のモードでカウント動作を行うことによってカウント値を取得し、前記第２の期間における前記ランプ信号の変化開始時点から前記第２の期間における前記各信号処理部の前記コンパレータの出力部の信号の反転時点まで、ダウンモード及びアップモードのうちの他方のモードで前記カウント値からカウント動作を行うカウンタを、有するものである。
【００１５】
第７の態様による固体撮像装置は、前記第３乃至第６のいずれかの態様において、前記各信号処理部は、前記垂直信号線と前記サンプリングスイッチとの間に設けられた増幅部を有するものである。
【００１６】
第８の態様による固体撮像装置は、前記第７の態様において、前記増幅部は、第２の演算増幅器と、前記第２の演算増幅器の反転入力端子に接続された入力容量と、前記第２の演算増幅器の前記反転入力端子と前記第２の演算増幅器の出力端子との間をオンオフする第２の帰還スイッチと、前記第２の演算増幅器の前記反転入力端子と前記第２の演算増幅器の前記出力端子との間に接続された帰還容量と、を有するものである。
【００１７】
第９の態様による電子カメラは、前記第１乃至第８のいずれかの態様による固体撮像装置を備えたものである。
【発明の効果】
【００１８】
本発明によれば、ノイズの影響を低減することができ、より高画質の画像を得ることができる固体撮像装置、及び、これを用いた電子カメラを提供することができる。
【図面の簡単な説明】
【００１９】
【図１】本発明の第１の実施の形態による電子カメラを模式的に示す概略ブロック図である。
【図２】図１中の固体撮像装置の概略構成を示す回路図である。
【図３】図２中の画素を示す回路図である。
【図４】変形例による画素を示す回路図である。
【図５】図１中の固体撮像装置の動作の一例を示すタイミングチャートである。
【図６】図５中の所定期間の動作を示すタイミングチャートである。
【図７】図２中の第１及び第２の配線を構成する配線パターン等の具体例を模式的に示す概略平面図である。
【図８】図１中の固体撮像装置を模式的に示す概略平面図である。
【図９】比較例による固体撮像装置の概略構成を示す回路図である。
【図１０】図９中の第１及び第２の配線を構成する配線パターン等を模式的に示す概略平面図である。
【図１１】図９に示す比較例による固体撮像装置を模式的に示す概略平面図である。
【図１２】変形例による固体撮像装置を模式的に示す概略平面図である。
【図１３】本発明の第２の実施の形態による電子カメラで用いられる固体撮像装置の概略構成を示す回路図である。
【発明を実施するための形態】
【００２０】
以下、本発明による固体撮像装置及び電子カメラについて、図面を参照して説明する。
【００２１】
［第１の実施の形態］
図１は、本発明の第１の実施の形態による電子カメラ１を模式的に示す概略ブロック図である。
【００２２】
本実施の形態による電子カメラ１は、例えば一眼レフのデジタルカメラとして構成されるが、本発明による電子カメラは、これに限らず、コンパクトカメラなどの他の電子カメラや、携帯電話に搭載された電子カメラなどにも適用することができる。
【００２３】
電子カメラ１には、撮影レンズ２が装着される。この撮影レンズ２は、レンズ制御部３によってフォーカスや絞りが駆動される。この撮影レンズ２の像空間には、固体撮像装置４の撮像面が配置される。
【００２４】
固体撮像装置４は、撮像制御部５の指令によって駆動され、デジタルの画像信号を出力する。デジタル信号処理部６は、固体撮像装置４から出力されるデジタルの画像信号に対して、デジタル増幅、色補間処理、ホワイトバランス処理などの画像処理等を行う。デジタル信号処理部６により処理された画像信号は、メモリ７に一旦蓄積される。メモリ７は、バス８に接続されている。バス８には、レンズ制御部３、撮像制御部５、ＣＰＵ９、液晶表示パネル等の表示部１０、記録部１１、画像圧縮部１２及び画像処理部１３なども接続される。ＣＰＵ９には、レリーズ釦などの操作部１４が接続される。また、記録部１１には記録媒体１１ａが着脱自在に装着される。
【００２５】
本実施の形態では、操作部１４のレリーズ釦の半押し操作が行われると、電子カメラ１内のＣＰＵ９は、図示しない焦点検出センサからの検出信号に基づいてデフォーカス量を算出し、このデフォーカス量に応じて合焦状態となるように、レンズ制御部３に撮影レンズ２を調節させる。また、ＣＰＵ９は、予め操作部１４により指令された絞りとなるように、レンズ制御部３に撮影レンズ２を調節させる。そして、操作部１４のレリーズ釦の全押し操作に同期して、ＣＰＵ９が撮像制御部５を介して固体撮像装置４を制御することによって、固体撮像装置４からデジタルの画像信号が読み出される。この画像信号は、デジタル信号処理部６により処理された後に、メモリ７に一旦格納される。その後、ＣＰＵ９は、操作部１４の指令に基づき、メモリ７内の画像信号に対して必要に応じて画像処理部１３や画像圧縮部１２にて所望の処理を行い、記録部１１に処理後の信号を出力させ記録媒体１１ａに記録する。
【００２６】
図２は、図１中の固体撮像装置４の概略構成を示す回路図である。本実施の形態では、固体撮像装置４は、ＣＭＯＳ型の固体撮像装置として構成されているが、他のＸＹアドレス型固体撮像装置として構成してもよい。
【００２７】
図２に示すように、固体撮像装置４は、２次元状に配置された複数の画素２１（図２では、２×３個の画素２を示す。）からなる画素アレイ部２２と、複数の画素２１の列毎に設けられ対応する列の画素２１からの信号を受け取る複数の垂直信号線２３と、各垂直信号線２３に設けられた定電流源２４と、垂直走査回路２５と、ランプ信号Ｖｒａｍｐ及び基準電圧ＧＮＤに基づいて複数の垂直信号線２３の信号をそれぞれ処理する複数のカラム回路（信号処理部）２６と、ランプ信号Ｖｒａｍｐを発生するランプ信号発生回路２７と、カウンタ２８と、制御パルス発生回路２９と、水平走査回路３０と、減算器３１と、出力回路３２とを備えている。
【００２８】
図３は、図２中の１つの画素２１を示す回路図である。各画素２１は、一般的なＣＭＯＳイメージセンサと同様に、入射光に応じた電荷を生成し蓄積する光電変換部としてのフォトダイオードＰＤと、前記電荷を受け取って前記電荷を電圧に変換する電荷電圧変換部としてのフローティングディフュージョンＦＤと、フローティングディフュージョンＦＤの電位に応じた信号を出力する増幅部としての増幅トランジスタＡＭＰと、フォトダイオードＰＤからフローティングディフュージョンＦＤに電荷を転送する転送トランジスタＴＸと、フローティングディフュージョンＦＤの電位をリセットするリセットトランジスタＲＥＳと、読み出し行を選択するための選択トランジスタＳＥＬとを有し、図３に示すように接続されている。図３において、ＶＤＤは電源電位である。なお、本実施の形態では、画素２１のトランジスタＡＭＰ，ＴＸ，ＲＥＳ，ＳＥＬは、全てｎＭＯＳトランジスタである。
【００２９】
転送トランジスタＴＸのゲートは行毎に制御線４１に共通に接続され、そこには、転送トランジスタＴＸを制御する制御信号φＴＸが垂直走査回路２５から供給される。リセットトランジスタＲＥＳのゲートは行毎に制御線４２に共通に接続され、そこには、リセットトランジスタＲＥＳを制御する制御信号φＲＥＳが垂直走査回路２５から供給される。選択トランジスタＳＥＬのゲートは行毎に制御線４３に共通に接続され、そこには、選択トランジスタＳＥＬを制御する制御信号φＳＥＬが垂直走査回路２５から供給される。各制御信号φＴＸを行毎に区別する場合、ｎ行目の制御信号φＴＸは符号φＴＸ（ｎ）で示す。この点は、制御信号φＲＥＳ，φＳＥＬについても同様である。
【００３０】
各画素２１のフォトダイオードＰＤは、入射光の光量（被写体光）に応じて信号電荷を生成する。転送トランジスタＴＸは、制御信号φＴＸのハイレベル期間にオンし、フォトダイオードＰＤの電荷をフローティングディフュージョンＦＤに転送する。リセットトランジスタＲＥＳは、制御信号φＲＥＳのハイレベル期間（電源電位ＶＤＤの期間）にオンし、フローティングディフュージョンＦＤをリセットする。
【００３１】
増幅トランジスタＡＭＰは、そのドレインが電源電位ＶＤＤに接続され、そのゲートがフローティングディフュージョンＦＤに接続され、そのソースが選択トランジスタＳＥＬのドレインに接続され、定電流源２４（図３では図示せず、図２を参照）を負荷とするソースフォロア回路を構成している。増幅トランジスタＡＭＰは、フローティングディフュージョンＦＤの電圧値に応じて、選択トランジスタＳＥＬを介して垂直信号線２３に読み出し信号を出力する。選択トランジスタＳＥＬは、制御信号φＳＥＬのハイレベル期間にオンし、増幅トランジスタＡＭＰのソースを垂直信号線２３に接続する。
【００３２】
垂直走査回路２５は、画素２１の行毎に、制御信号φＳＥＬ，φＲＥＳ，φＴＸをそれぞれ出力し、画素アレイ部２２の行アドレスや垂直走査の周知の制御を行う。この制御によって、各垂直信号線２３には、それに対応する列の画素２の出力信号（アナログ信号）が供給される。
【００３３】
画素２１の構成は、前述した図３に示す構成に限らない。例えば、画素２１の構成として、図４に示す構成を採用してもよい。図４は、変形例による画素２１を示す回路図である。図４において、図３中の要素と同一又は対応する要素には同一符号を付し、その重複する説明は省略する。
【００３４】
図４に示す構成が図３に示す構成と異なる所は、列方向に隣り合う２つの画素２１毎に、当該２つの画素２１が１組のフローティングディフュージョンＦＤ、増幅トランジスタＡＭＰ、リセットトランジスタＲＥＳ及び選択トランジスタＳＥＬを共有している点である。この変形例では、垂直走査回路２５は、図３に示すような制御信号φＳＥＬ，φＲＥＳ，φＴＸに代えて、図４に示すような制御信号φＳＥＬ，φＲＥＳ，φＴＸ１，φＴＸ２を出力するように構成される。
【００３５】
図４では、１組のフローティングディフュージョンＦＤ、増幅トランジスタＡＭＰ、リセットトランジスタＲＥＳ及び選択トランジスタＳＥＬを共有する２つの画素２１（２１−１，２１−２）を、画素ブロックＢＬとして示している。また、図３では、画素ブロックＢＬ内の上側の画素２１−１のフォトダイオードＰＤ及び転送トランジスタＴＸをそれぞれ符号ＰＤ１，ＴＸ１で示し、画素ブロックＢＬ内の下側の画素２１−２のフォトダイオードＰＤ及び転送トランジスタＴＸをそれぞれ符号ＰＤ２，ＴＸ２で示し、両者を区別している。また、転送トランジスタＴＸ１のゲートに供給される制御信号をφＴＸ１とし、転送トランジスタＴＸ２のゲート電極に供給される制御信号をφＴＸ２とし、両者を区別している。なお、図３ではｎは画素行を示しているが、図４ではｎは画素ブロックＢＬの行を示している。画素ブロックＢＬの１行は、画素２１の２行に相当している。
【００３６】
この変形例では、垂直走査回路２５は、図１中の撮像制御部５からの制御信号を受けて、画素２１の行毎に、制御信号φＳＥＬ，φＲＥＳ，φＴＸ１，φＴＸ２をそれぞれ出力することで、読み出し動作を実現することができる。
【００３７】
画素２１の出力信号には、一般的なＣＭＯＳイメージセンサと同様に、所定情報を含む情報信号に相当する光信号と、前記情報信号から差し引くべき基準成分を含む基準信号に相当するダーク信号とがある。前記光信号は、画素２１で光電変換された光情報を含む信号である。具体的には、本実施の形態では、ダーク信号は、フローティングディフュージョンＦＤがリセットされたときに画素２１から出力される信号であり、光信号は、フォトダイオードＦＤの信号電荷がフローティングディフュージョンＦＤに転送されたときに画素２１から出力される信号であり、ダーク信号が重畳された信号である。
【００３８】
各カラム回路２６は、増幅部５１を有している。本実施の形態では、増幅部５１は、演算増幅器（第２の演算増幅器）ＯＰ、入力容量ＣＡ、帰還容量ＣＧ、及び、クランプ制御信号φＣＡＲＳＴに応じてオンオフするクランプ制御スイッチ（第２の帰還スイッチ）ＣＡＲＳＴを有し、演算増幅器ＯＰの出力端子から、対応する垂直信号線２３の信号に応じた情報信号及び基準信号を出力する。演算増幅器ＯＰの非反転入力端子（＋入力端子）には、電位供給部３３により一定電位Ｖｒｅｆが印加されている。垂直信号線２３が入力容量ＣＡを介して演算増幅器ＯＰの反転入力端子（−入力端子）に接続されている。また、演算増幅器ＯＰの反転入力端子と演算増幅器ＯＰの出力端子との間に、帰還容量ＣＧ及びクランプ制御スイッチＣＡＲＳＴが並列に接続されている。演算増幅器ＯＰは、差動増幅回路等を用いて構成されている。各カラム回路２６のクランプ制御スイッチＣＡＲＳＴの制御入力部は共通して接続され、そこには制御パルス発生回路２９からクランプ制御信号φＣＡＲＳＴが供給される。クランプ制御スイッチＣＡＲＳＴは、クランプ制御信号φＣＡＲＳＴがハイレベルの場合にオンし、クランプ制御信号φＣＡＲＳＴがローレベルの場合にオフする。
【００３９】
この増幅部５１によれば、信号φＣＡＲＳＴがハイレベルになると、クランプ制御スイッチＣＡＲＳＴがオンして演算増幅器ＯＰの反転入力端子と出力端子との間が短絡し、演算増幅器ＯＰの出力端子が所定電位Ｖｒｅｆにクランプされる。その後、信号φＣＡＲＳＴがローレベルにされてクランプ制御スイッチＣＡＲＳＴがオフした状態において、垂直信号線２３の電圧がΔＶだけ変化すると、演算増幅器ＯＰの出力端子の信号は、｛Ｖｒｅｆ−（ＣＡ／ＣＧ）×ΔＶ｝となる。このように、クランプ制御スイッチＣＡＲＳＴがオフすると、入力容量ＣＡと帰還容量ＣＧの比で反転ゲイン（−ＣＡ／ＣＧ）が得られる。
【００４０】
後述するように、所定期間だけ一旦φＣＡＲＳＴがハイレベルにされ、垂直信号線２３にダーク信号が出力されているときにφＣＡＲＳＴがローレベルに戻され、その後に、垂直信号線２３に光信号が出力される。以下の説明では、垂直信号線２３にダーク信号が出力されているときにφＣＡＲＳＴをローレベルに戻したときの演算増幅器ＯＰの出力信号もダーク信号呼び、その信号及び電位をＶｄで示す。また、その後に垂直走査回路２５に光信号が出力されたときの演算増幅器ＯＰの出力信号も光信号と呼び、その信号及び電位をＶｓで示す。
【００４１】
各カラム回路２６における増幅部５１以外の要素が、ランプ信号発生回路２７及びカウンタ２８と共に、ＡＤ変換器を構成している。ランプ信号発生回路２７及びカウンタ２８は、全ての列について共通して１つ設けられている。したがって、本実施の形態では、各垂直信号線２３に対応してそれぞれ１つずつＡＤ変換器が設けられているが、各ＡＤ変換器の構成要素のうちのランプ信号発生回路２７及びカウンタ２８については、全てのＡＤ変換器によって共有されている。ＡＤ変換器の構成及び動作については、後述する。
【００４２】
水平走査回路３０は、水平走査のための制御信号を各列のカラム回路２６の後述するデータ記憶部５２に供給し、各ＡＤ変換器により得られた各列毎のｍビットの第１及び第２のデジタル値（各カラム回路２６のデータ記憶部５２の独立した記憶領域であるラッチＡ及びラッチＢにそれぞれ記憶されたカウント値）を、順次ｍビットの第１及び第２の水平信号線３４，３５を介して減算器３１に送出させる。減算器３１は、受け取った第１及び第２のデジタル値の差分を取り、その差分を示すｍビットのデジタル値を取得し、これを出力回路３２に送出させる。出力回路３２は、受け取ったデジタル値を、例えばパラレル−シリアル変換してシリアルデジタル信号として、外部（図１中のデジタル信号処理部６）へ出力させる。
【００４３】
制御パルス発生回路２９は、図１中の撮像制御部５から受け取った図示しないマスタークロックに基づいて、垂直走査回路２５、ＡＤ変換器及び水平走査回路３０などの各動作に必要なクロック信号やタイミング信号を生成し、これらの信号を該当する回路部分に供給する。
【００４４】
図２中のＡＤ変換器（ランプ信号発生回路２７、カウンタ２８、及び、カラム回路２６における増幅部５１以外の部分）の構成及びその作用を除いて、本実施の形態における固体撮像装置４の基本的な動作は、従来の一般的なＣＭＯＳイメージセンサと同様である。
【００４５】
ランプ信号発生回路２７は、制御パルス発生回路２９からの信号に基づいて、後述する図６に示すようなランプ信号Ｖｒａｍｐを発生する。ランプ信号発生回路２７の構成は何ら限定されず、例えば、カウンタ２８のカウント値をＤＡ変換するＤＡ変換器を用いた構成を採用してもよいし、他の周知の種々の構成を採用してもよい。
【００４６】
カウンタ２８は、制御パルス発生回路２９からの指令を受けて、カウント動作の開始及び停止を行い、カウント動作中に、制御パルス発生回路２９からのクロック信号をカウントし、ｎビットの信号線３６を介してｎビットのカウント値を各カラム回路２６の後述するデータ記憶部５２に供給する。
【００４７】
各カラム回路２６は、ランプ信号Ｖｒａｍｐ及び基準電圧ＧＮＤに基づく比較処理を行うコンパレータＣＯＭを有している。コンパレータＣＯＭは、演算増幅器で構成されている。各カラム回路２６は、コンパレータＣＯＭの非反転入力端子に接続され増幅部５１の演算増幅器ＯＰの出力信号（垂直走査回路２５に光信号３の信号に応じた信号）をサンプリングするサンプリングスイッチＳＷ１と、一方電極がコンパレータＣＯＭの非反転入力端子に接続されるとともに他方電極にランプ信号Ｖｒａｍｐが入力される第１の容量Ｃ１と、一方電極がコンパレータＣＯＭの反転入力端子に接続されるとともに他方電極に基準電圧ＧＮＤが入力される第２の容量Ｃ２と、コンパレータＣＯＭの反転入力端子とコンパレータの出力端子との間をオンオフする帰還スイッチＳＷ２と、を有している。
【００４８】
本実施の形態では、各カラム回路２６の第１の容量Ｃ１の前記他方電極が、ランプ信号Ｖｒａｍｐが入力されるカラム回路２６の第１の入力部となっている。各カラム回路２６の第１の容量Ｃ１の前記他方電極（第１の入力部）は、第１の配線６１によって共通に接続され、そこにはランプ信号発生回路２７からランプ信号Ｖｒａｍｐが供給される。また、各カラム回路２６の第２の容量Ｃ２の前記他方電極が、基準電圧ＧＮＤが入力されるカラム回路２６の第２の入力部となっている。各カラム回路２６の第２の容量Ｃ２の前記他方電極（第２の入力部）は、第２の配線６２によって共通に接続され、そこには基準電圧ＧＮＤが供給される。本実施の形態では、この基準電圧として接地電位ＧＮＤが供給されるが、その基準電圧として他の一定電位を供給してもよい。第１及び第２の配線６１，６２やそれらに対するランプ信号Ｖｒａｍｐ及び基準電圧ＧＮＤの供給状況については、後に詳述する。
【００４９】
各カラム回路２６のサンプリングスイッチＳＷ１の制御入力部は共通して接続され、そこには制御パルス発生回路２９から制御信号φＳＰＬが供給される。サンプリングスイッチＳＷ１は、制御信号φＳＰＬがハイレベルの場合にオンし、制御信号φＳＰＬがローレベルの場合にオフする。
【００５０】
各カラム回路２６の帰還スイッチＳＷ２の制御入力部は共通して接続され、そこには制御パルス発生回路２９から制御信号φＡＤＣが供給される。帰還スイッチＳＷ２は、制御信号φＡＤＣがハイレベルの場合にオンし、制御信号φＡＤＣがローレベルの場合にオフする。
【００５１】
各カラム回路２６は、データ記憶部５２を有している。データ記憶部５２は、内部に独立した記憶領域としてのそれぞれｎビットの、ラッチＡとラッチＢとを有している。データ記憶部５２は、コンパレータＣＯＭの出力信号Ｖｏｕｔをラッチ指令信号として受け、コンパレータＣＯＭの出力信号Ｖｏｕｔが反転した時点でカウンタ２８から信号線３６を介して供給されているカウント値をラッチする。このとき、データ記憶部５２は、制御パルス発生回路２９からの制御信号φＬＣＨ（ラッチＡ，Ｂのいずれに記憶させるかを指令する信号）に従って、後述する図６中の第１の期間ｔ１１−ｔ１２におけるコンパレータＣＯＭの出力信号Ｖｏｕｔの反転時点でのカウント値をラッチＡに記憶し、後述する図６中の第２の期間ｔ１７−ｔ１８におけるコンパレータＣＯＭの出力信号Ｖｏｕｔの反転時点でのカウント値をラッチＢに記憶する。
【００５２】
カウンタ２８は、制御パルス発生回路２９からの指令によって、図６中の第１の期間ｔ１１−ｔ１２におけるランプ信号Ｖｒａｍｐの変化開始時点ｔ１１からカウント動作を開始するとともに、図６中の第２の期間ｔ１７−ｔ１８におけるランプ信号Ｖｒａｍｐの変化開始時点ｔ１７からカウント動作を開始する。したがって、データ記憶部５２のラッチＡ，Ｂに記憶されたカウント値は、ランプ信号Ｖｒａｍｐの変化開始時点ｔ１１，ｔ１７からコンパレータＣＯＭの出力信号Ｖｏｕｔの反転時点までの各経過時間を示す。このように、データ記憶部５２及びカウンタ２８は、それらの経過時間に応じたカウント値をそれぞれ得る計時部を構成している。データ記憶部５２は、水平走査回路３０からの制御信号を受けて、ラッチＡ，Ｂにそれぞれ記憶しているカウント値を、ｍビットのデジタル値に変換してｍビットの水平信号線３４，３５をそれぞれ介して減算器３１に送出させる。
【００５３】
図５は、本実施の形態における固体撮像装置４の動作の一例を示すタイミングチャートである。動作を開始すると、メカニカルシャッタ（図示せず）が所定期間（露光期間）Ｔ０開かれた後、１行目の読み出し期間、２行目の読み出し期間、・・・、ｎ行目の読み出し期間、・・・が行われ、１行目から最終行まで１行ずつ順次読み出し動作が繰り返される。各行の読み出し期間（１水平期間）は、当該行の垂直転送期間（ＡＤ変換期間を含む）とこれに引き続く当該行の水平転送期間（水平走査期間）とからなる。図５において、Ｔ１は１行目の読み出し期間の垂直転送期間、Ｔ２は２行目の読み出し期間の垂直転送期間、Ｔｎはｎ行目の読み出し期間の垂直転送期間を示している。図５に示すように、各行の読み出し期間の垂直転送期間において、当該行の制御信号φＳＥＬがハイレベルにされ、当該行の画素２１の選択トランジスタＳＥＬがオンする。
【００５４】
図６は、図４中のｎ行目の読み出し期間の垂直転送期間Ｔｎの動作を示すタイミングチャートである。垂直転送期間Ｔｎは、時点ｔ１で開始し、時点ｔ１８で終了する。
【００５５】
時点ｔ１後の時点ｔ２まで、制御信号φＲＥＳ（ｎ）がハイレベルに維持されて、ｎ行目の画素２１のリセットトランジスタＲＥＳがオン状態に維持される。時点ｔ２で、制御信号φＲＥＳ（ｎ）がローレベルにされ、ｎ行目の画素２１のリセットトランジスタＲＥＳがオフにされる。リセットトランジスタＲＥＳのオフ状態は、時点ｔ１６まで維持される。時点ｔ２から時点ｔ３までの期間において、制御信号φＣＡＲＳＴがハイレベルにされ、時点ｔ３以降は制御信号φＣＡＲＳＴがローレベルにされる。その結果、時点ｔ３から後述する時点ｔ８までの期間において、増幅部５１の出力信号はダーク信号Ｖｄとなる。
【００５６】
時点ｔ１後の時点ｔ９まで、ランプ信号Ｖｒａｍｐは、接地電位ＧＮＤとなっている。もっとも、接地電位ＧＮＤに代えて、他の一定電位にしてもよい。
【００５７】
時点ｔ４から時点ｔ７までの期間において、制御信号φＡＤＣがハイレベルにされて帰還スイッチＳＷ２がオンし、コンパレータＣＯＭはボルテージフォロワとして機能する。時点ｔ７以降は、制御信号φＡＤＣがローレベルにされて帰還スイッチＳＷ２がオフし、コンパレータＣＯＭは、コンパレータとして機能する。時点ｔ４後の時点ｔ５から時点ｔ７前の時点ｔ６までの期間において、制御信号φＳＰＬがハイレベルにされてサンプリングスイッチＳＷ１がオンにされる。時点ｔ６以降は時点ｔ１４まで、制御信号φＳＰＬがローレベルに維持される。
【００５８】
期間ｔ５−ｔ６において、サンプリングスイッチＳＷ１がオンであるので、増幅部５１から出力されているダーク信号Ｖｄが、第１の容量Ｃ１にサンプリングされて蓄積され、コンパレータＣＯＭの非反転入力端子にダーク信号Ｖｄが供給された状態となる。第１の容量Ｃ１に蓄積されるダーク信号Ｖｄのレベルは時点ｔ６で定まり、このレベルは時点ｔ６以降も維持される。また、期間ｔ５−ｔ７において、ダーク信号Ｖｄは、ボルテージフォロワとして機能するコンパレータＣＯＭの非反転入力端子に供給されるので、ダーク信号Ｖｄは、サンプリングスイッチＳＷ１→ボルテージフォロワ動作時のコンパレータＣＯＭ→帰還スイッチＳＷ２の経路で第２の容量Ｃ２にもサンプリングされる。このとき、コンパレータＣＯＭのオフセットＶｏｆｆが乗ったダーク信号（Ｖｄ＋Ｖｏｆｆ）が第２の容量Ｃ２に蓄積され、これがコンパレータＣＯＭの反転入力端子に供給された状態となる。第２の容量Ｃ２に蓄積されるダーク信号（Ｖｄ＋Ｖｏｆｆ）のレベルは時点ｔ７で定まり、このレベルは時点ｔ７以降も維持される。
【００５９】
時点ｔ７後の時点ｔ８から時点ｔ１０までの期間において、ｎ行目の制御信号φＴＸ（ｎ）が一旦ハイレベルにされてｎ行目の画素２１の転送トランジスタＴＸがオンする。これにより、増幅部５１の出力信号は光信号Ｖｓとなる。このとき、サンプリングスイッチＳＷ１はオフしているので、増幅部の出力信号は容量Ｃ１，Ｃ２におけるダーク信号Ｖｄのサンプリング状態に影響を与えない。
【００６０】
ランプ信号Ｖｒａｍｐは、時点ｔ７後の時点ｔ９において接地電位ＧＮＤから所定電位に立ち上げられ、時点ｔ９から時点ｔ１１までその所定電位に維持され、時点ｔ１１から時点ｔ１２まで経過時間に比例して漸次低下していき、時点ｔ１２の電位を時点ｔ１３まで維持し、時点ｔ１３で元の接地電位ＧＮＤに戻され、時点ｔ１６まで接地電位ＧＮＤに維持されている。なお、時点ｔ１１でのランプ信号Ｖｒａｍｐのレベルを持ち上げているのは、ダーク信号Ｖｄがゼロレベルに近くてもＡＤ変換精度を高めるためである。
【００６１】
今、ランプ信号Ｖｒａｍｐが接地電位ＧＮＤから変化している期間ｔ９−ｔ１３について考えると、この期間では、第１の容量Ｃ１にはダーク信号Ｖｄが蓄積されていることから、コンパレータＣＯＭの非反転入力端子にはランプ信号Ｖｒａｍｐとダーク信号Ｖｄとの重畳信号（Ｖｄ＋Ｖｒａｍｐ）が供給される一方で、コンパレータＣＯＭの反転入力端子にはオフセットＶｏｆｆが乗ったダーク信号（Ｖｄ＋Ｖｏｆｆ）が供給されることになる。コンパレータＣＯＭの非反転入力端子の入力信号が、コンパレータＣＯＭの反転入力端子の入力信号と一致した時点で、コンパレータＣＯＭの出力信号Ｖｏｕｔが反転する。したがって、ランプ信号ＶｒａｍｐがオフセットＶｏｆｆと一致した時点で、コンパレータＣＯＭの出力信号Ｖｏｕｔが反転する。このため、ランプ信号Ｖｒａｍｐの変化開始時点ｔ１１からコンパレータＣＯＭの出力信号Ｖｏｕｔの反転時点までの経過時間は、オフセットＶｏｆｆを示すものとなる。この経過時間（すなわち、オフセットＶｏｆｆ）を示すカウント値がデータ記憶部５２のラッチＡに記憶される。
【００６２】
期間ｔ１１−ｔ１２は、増幅部５１の出力信号がダーク信号Ｖｄである場合（ひいては、垂直信号線２３の信号がダーク信号（基準信号）である場合）において各カラム回路２６のサンプリングスイッチＳＷ１及び帰還スイッチＳＷ２が期間ｔ５−ｔ６で一旦同時にオンにされてから同時にオフにされている期間のうち、ランプ信号Ｖｒａｍｐが漸次変化する第１の期間となっている。第１の期間ｔ１１−ｔ１２の長さは、ダーク信号Ｖｄの可変範囲を考慮して、第１の期間ｔ１１−ｔ１２内において確実にコンパレータＣＯＭの出力信号Ｖｏｕｔが反転するように、かつ、無駄に長期間とならないように、設定されている。
【００６３】
時点ｔ１３後の時点ｔ１４から時点ｔ１５までの期間において、制御信号φＳＰＬがハイレベルにされてサンプリングスイッチＳＷ１がオンにされる。時点ｔ１５以降は、制御信号φＳＰＬがローレベルに維持される。
【００６４】
期間ｔ４−ｔ１５において、サンプリングスイッチＳＷ１がオンであるので、増幅部５１から出力されている光信号Ｖｓが、第１の容量Ｃ１にサンプリングされて蓄積される。第１の容量Ｃ１に蓄積される光信号Ｖｓのレベルは時点ｔ１５で定まり、このレベルは時点ｔ１５以降も維持される。一方、コンパレータＣＯＭのオフセットＶｏｆｆが乗ったダーク信号（Ｖｄ＋Ｖｏｆｆ）は、第２の容量Ｃ２に蓄積されたままであり、コンパレータＣＯＭの反転入力端子に供給された状態のままである。
【００６５】
ランプ信号Ｖｒａｍｐは、時点ｔ１５後の時点ｔ１６において接地電位ＧＮＤから所定電位に立ち上げられ、時点ｔ６から時点ｔ１７までその所定電位に維持され、時点ｔ１７から時点ｔ１８まで経過時間に比例して漸次低下していき、時点ｔ１８で元の接地電位ＧＮＤに戻されている。なお、時点ｔ１７でのランプ信号Ｖｒａｍｐのレベルを持ち上げているのは、ダーク信号Ｖｄがゼロレベルに近くてもＡＤ変換精度を高めるためである。
【００６６】
今、ランプ信号Ｖｒａｍｐが接地電位ＧＮＤから変化している期間ｔ１６−ｔ１８について考えると、この期間では、第１の容量Ｃ１には光信号Ｖｓが蓄積されていることから、コンパレータＣＯＭの非反転入力端子にはランプ信号Ｖｒａｍｐと光信号Ｖｓとの重畳信号（Ｖｓ＋Ｖｒａｍｐ）が供給される一方で、コンパレータＣＯＭの反転入力端子にはオフセットＶｏｆｆが乗ったダーク信号（Ｖｄ＋Ｖｏｆｆ）が供給されることになる。コンパレータＣＯＭの非反転入力端子の入力信号が、コンパレータＣＯＭの反転入力端子の入力信号と一致した時点で、コンパレータＣＯＭの出力信号Ｖｏｕｔが反転する。したがって、ランプ信号Ｖｒａｍｐが（Ｖｄ−Ｖｓ＋Ｖｏｆｆ）と一致した時点で、コンパレータＣＯＭの出力信号Ｖｏｕｔが反転する。このため、ランプ信号Ｖｒａｍｐの変化開始時点ｔ１７からコンパレータＣＯＭの出力信号Ｖｏｕｔの反転時点までの経過時間は、（Ｖｄ−Ｖｓ＋Ｖｏｆｆ）を示すものとなる。この経過時間（すなわち、（Ｖｄ−Ｖｓ＋Ｖｏｆｆ））を示すカウント値がデータ記憶部５２のラッチＢに記憶される。
【００６７】
期間ｔ１７−ｔ１８は、第１の期間ｔ１１−ｔ１２の後に増幅部５１の出力信号が光信号Ｖｓである場合（ひいては、垂直信号線２３の信号が光信号である場合）において各カラム回路２６の帰還スイッチＳＷ２がオフに維持されたまま各カラム回路２６のサンプリングスイッチＳＷ１が期間ｔ１４−ｔ１５で一旦オンにされてからオフにされている期間のうち、ランプ信号Ｖｒａｍｐが漸次変化する第２の期間となっている。第２の期間ｔ１７−ｔ１８の長さは、光信号Ｖｓの可変範囲を考慮して、第２の期間ｔ１７−ｔ１８内において確実にコンパレータＣＯＭの出力信号Ｖｏｕｔが反転するように、かつ、無駄に長期間とならないように、設定されている。
【００６８】
ｎ行目の読み出し期間の垂直転送期間Ｔｎが終了すると、引き続いてｎ行目の読み出し期間の水平転送期間となる。この水平転送期間において、水平走査回路３０は、制御パルス発生回路２９からの制御信号に従って、水平走査を行い、各列のカラム回路２６の後述するデータ記憶部５２のラッチＡ及びラッチＢにそれぞれ記憶された第１及び第２のカウント値を順次ｍビットの第１及び第２の水平信号線３４，３５を介して減算器３１に送出させる。減算器３１は、受け取った第１及び第２のデジタル値の差分（光信号Ｖｓとダーク信号Ｖｄとの差分に相当）を取り、その差分を示すｍビットのデジタル値を取得し、これを出力回路３２に送出させる。出力回路３２は、受け取ったデジタル値を、所定の信号形式の信号に変換し、画像データとして外部（図１中のデジタル信号処理部６）へ出力させる。
【００６９】
なお、減算器３１を取り除き、第１及び第２のデジタル値をそれぞれ出力回路３２を介して図１中のデジタル信号処理部６へ出力し、デジタル信号処理部６で前記第１及び第２のデジタル値の差分を取るようにしてもよい。
【００７０】
以上、ｎ行目の読み出し期間について説明したが、他の行の読み出し期間の動作も、ｎ行目の読み出し期間の動作と同様である。
【００７１】
なお、以上説明した動作例では、各行の読み出し期間（１水平期間）が重複することなく順次行われるものとした。しかしながら、これに限らず、ある行の読み出し期間と次の行の読み出し期間とを一部重複させることも可能である。この場合、例えば、図６において、制御信号φＳＥＬ（ｎ）を時点ｔ１６以降ローレベルにし、時点ｔ１６よりも若干後の時点から、次のｎ＋１行目の読み出し期間を開始させてもよい。
【００７２】
ところで、本実施の形態では、図２に示すように、ランプ信号発生回路２７は固体撮像装置４における行方向の一方側（図２中の左側）に配置され、各カラム回路２６の第１の容量Ｃ１の前記他方電極（第１の入力部）を共通に接続する第１の配線６１の図２中左側に、ランプ信号Ｖｒａｍｐが供給されている。また、本実施の形態では、各カラム回路２６の第２の容量Ｃ２の前記他方電極（第２の入力部）を共通に接続する第２の配線６２の図２中左側に、基準電圧ＧＮＤが供給され、第２の配線６２の図２中右側には基準電圧ＧＮＤが供給されていない。
【００７３】
図７は、図２中の第１及び第２の配線６１，６２を構成する配線パターン６１ａ，６１ｂ，６２ａ，６２ｂ等の具体例を模式的に示す概略平面図である。図７中の左右は図２中の左右と一致し、図７中の左右方向は画素２１の行方向と一致している。
【００７４】
図７に示す例では、第１の配線６１は、行方向（図７中の左右方向）に延びた主配線パターン６１ａと、コンタクト部６１ｃによって主配線パターン６１ａに接続され列方向（図７中の上下方向）に延びて各カラム回路２６の第１の容量Ｃ１に接続される副配線パターン６１ｂとから構成されている。図７では、副配線パターン６１ｂの階層は主配線パターン６１ａの階層と異なるので、副配線パターン６１ｂを破線で示している。主配線パターン６１ａの図７中の左側がランプ信号発生回路２７に接続され、主配線パターン６１ａの図７中の左側にランプ信号Ｖｒａｍｐが供給される。
【００７５】
図７に示す例では、第２の配線６２は、行方向（図７中の左右方向）に延びた主配線パターン６２ａと、コンタクト部６２ｃによって主配線パターン６２ａに接続され列方向（図７中の上下方向）に延びて各カラム回路２６の第２の容量Ｃ２に接続される副配線パターン６２ｂとから構成されている。図７では、副配線パターン６２ｂの階層は主配線パターン６２ａの階層と異なるので、副配線パターン６２ｂを破線で示している。主配線パターン６２ａの図７中の左側が接地電圧ＧＮＤ供給用の電極パッド６３ｄに接続され、主配線パターン６２ａの図７中の左側に基準電圧ＧＮＤが供給される。一方、主配線パターン６２ａの図７中の右側には電極パッドは接続されていない。
【００７６】
図８は、図１中の固体撮像装置４（すなわち、図２に示す固体撮像装置４）を模式的に示す概略平面図である。固体撮像装置４は、図２に示す回路を搭載したチップ７１と、開口７２ａを有しチップ７１を収容した凹形状のパッケージ本体７２と、所定の光透過特性を有し開口７２ａを封止する蓋体７３とを有している。
【００７７】
図８に示すように、チップ７１には、電極パッド６３ａ〜６３ｇが形成されている。図８中の電極パッド６３ｄは、図７中の接地電圧ＧＮＤ供給用の電極パッド６３ｄを示している。
【００７８】
パッケージ本体７２には、内部端子７３ａ〜７３ｈ、及び、これらにそれぞれ１対１に電気的に接続された外部端子７４ａ〜７４ｈが設けられている。内部端子７３ａ〜７３ｇとチップ７１の電極パッド６３ａ〜６３ｇとの間がそれぞれ、ボンディングワイヤ７５によって電気的に接続されている。本例では、内部端子７３ｈ及び外部端子７４ｈは、予備として使用されていない。勿論、内部端子７３ｈ及び外部端子７４ｈを、何らかの信号を内外間で授受するために用いてもよい。
【００７９】
図９は、比較例による固体撮像装置１０４の概略構成を示す回路図であり、図２に対応している。図１０は、図９中の第１及び第２の配線６１，６２を構成する配線パターン６１ａ，６１ｂ，６２ａ，６２ｂ等を模式的に示す概略平面図であり、図７に対応している。図１１は、図９に示す比較例による固体撮像装置１０４を模式的に示す概略平面図であり、図８に対応している。図９乃至図１１において、図２、図７及び図８中の要素と同一又は対応する要素には同一符号を付し、その重複する説明は省略する。
【００８０】
この比較例による固体撮像装置１０４が本実施の形態の固体撮像装置４と異なる所は、以下に説明する点である。
【００８１】
図２及び図９に示すように、本実施の形態の固体撮像装置４では、第２の配線６２の図２中右側には基準電圧ＧＮＤが供給されていないのに対し、比較例による固体撮像装置１０４では、第２の配線６２の耐ノイズ性を高めるべく、第２の配線６２の図９中の左側のみならず図９中の右側においても基準電圧ＧＮＤが供給されている。
【００８２】
これを実現するため、図７及び図１０に示すように、本実施の形態の固体撮像装置４では、第２の配線６２の主配線パターン６２ａの図７中の右側には電極パッドが接続されていないのに対し、比較例による固体撮像装置１０４では、第２の配線６２の主配線パターン６２ａの図７中の右側には接地電圧ＧＮＤ供給用の電極パッド６３ｈが接続されている。また、図８及び図９に示すように、本実施の形態の固体撮像装置４では、チップ７１に電極パッド６３ｈが設けられておらずに内部端子７３ｈ及び外部端子７４ｈが予備として使用されていないのに対し、比較例による固体撮像装置１０４では、チップ７１に電極パッド６３ｈが設けられて電極パッド６３ｈと内部端子７３ｈとの間がボンディングワイヤ７５によって電気的に接続され、外部端子７４ｈから内部端子７３ｈ介して電極パッド６３ｈに接地電圧ＧＮＤが供給されるようになっている。
【００８３】
比較例においても本実施の形態においても、第１の配線６１の図中左側にランプ信号発生回路２７からランプ信号Ｖｒａｍｐが供給されるので、外乱等により第１の配線６１にノイズが乗ると、第１の配線６１の図中左側のノイズレベルは比較的小さく、第１の配線６１の図中右側のノイズレベルは比較的大きく、第１の配線６１の図中左右中央のノイズレベルは中程度となる。
【００８４】
これに対し、比較例では、第２の配線６２の図中左側及び右側の両側において基準電圧ＧＮＤが供給されるので、外乱等により第２の配線６２にノイズが乗ると、第２の配線６２の図中左側のノイズレベルは比較的小さく、第２の配線６２の図中右側のノイズレベルも比較的小さく、第２の配線６２の図中左右中央のノイズレベルは中程度となる。したがって、比較例では、第２の配線６２におけるノイズレベルの分布状況が第１の配線６１におけるノイズの分布状況と異なってしまい、第１の配線６１の図中右側のノイズレベルと第２の配線６２の図中右側のノイズレベルとの差が大きくなる。このため、比較例では、図中右側の列のカラム回路２６において、ランプ信号Ｖｒａｍｐに乗るノイズのレベルと基準電圧ＧＮＤに乗るノイズのレベルとの差、ひいては、ＡＤ変換のためにコンパレータＣＯＭで比較される２つの信号（コンパレータＣＯＭの非反転入力端子に入力される信号とコンパレータＣＯＭの反転入力端子に入力される信号）にそれぞれ乗るノイズのレベルの差が大きくなる。よって、比較例では、図中右側の列のカラム回路２６では、ＡＤ変換のためのコンパレータＣＯＭによる比較結果の誤差が大きくなり、ＡＤ変換誤差が大きくなる。その結果、得られる画像において、そのノイズの影響を受けた縦筋が現れてしまい、画質が低下してしまう。
【００８５】
一方、本実施の形態では、第２の配線６２の図中左側において基準電圧ＧＮＤが供給され第２の配線６２の図中右側において基準電圧ＧＮＤが供給されないので、外乱等により第２の配線６２にノイズが乗ると、第２の配線６２の図中左側のノイズレベルは比較的小さく、第２の配線６２の図中右側のノイズレベルは比較的大きく、第２の配線６２の図中左右中央のノイズレベルは中程度となる。したがって、本実施の形態では、第２の配線６２におけるノイズレベルの分布状況が第１の配線６１におけるノイズの分布状況と同様となり、図中の左側や左右中央のみならず右側においても、第１の配線６１のノイズレベルと第２の配線６２のノイズレベルとの差が小さくなる。このため、本実施の形態では、図中いずれの列のカラム回路２６においても、ＡＤ変換のためにコンパレータＣＯＭで比較される２つの信号（コンパレータＣＯＭの非反転入力端子に入力される信号とコンパレータＣＯＭの反転入力端子に入力される信号）にそれぞれ乗るノイズのレベルの差が小さくなる。よって、本実施の形態では、いずれの列のカラム回路２６においても、ランプ信号Ｖｒａｍｐに乗るノイズのレベルと基準電圧ＧＮＤに乗るノイズのレベルとの差、ひいては、ＡＤ変換のためのコンパレータＣＯＭによる比較結果の誤差が小さくなり、ＡＤ変換誤差が小さくなる。その結果、本実施の形態では、得られる画像において、そのノイズの影響を受けた縦筋が低減され、画質が向上する。
【００８６】
図１２は、本実施の形態において固体撮像装置４に代えて用いることができる変形例による固体撮像装置２０４を模式的に示す概略平面図であり、図８及び図１１に対応している。
【００８７】
この固体撮像装置２０４は、比較例による固体撮像装置１０４において電極パッド６３ｈと内部端子７３ｈとの間のボンディングワイヤ７５を取り除いたものであり、他の点は比較例による固体撮像装置１０４と全く同一である。この固体撮像装置２０４によっても、図２に示す第２の配線６２に対する基準電圧ＧＮＤの供給状況を実現することができる。
【００８８】
また、本発明では、比較例による固体撮像装置１０４であっても、その用い方によっては、固体撮像装置４に代えて用いることができる。すなわち、比較例による固体撮像装置１０４を用いる場合には、固体撮像装置４を搭載する配線板等において、外部端子７４ｈを基準電圧ＧＮＤの箇所に接続せずに電気的に浮かすことで、図２に示す第２の配線６２に対する基準電圧ＧＮＤの供給状況を実現することができる。
【００８９】
［第２の実施の形態］
図１３は、本発明の第２の実施の形態による電子カメラで用いられる固体撮像装置３０４の概略構成を示す回路図であり、図２に対応している。図１３において、図２中の要素と同一又は対応する要素には同一符号を付し、その重複する説明は省略する。
【００９０】
本実施の形態による電子カメラが第１の実施の形態による電子カメラ１と異なる所は、固体撮像装置４に代えて、固体撮像装置３０４が用いられている点である。固体撮像装置３０４が固体撮像装置４と異なる所は、以下に説明する点である。
【００９１】
固体撮像装置３０４では、図１３に示すように、図２中の各カラム回路２６においてデータ記憶部５２に代えてアップダウンカウンタ８１が設けられ、カウンタ２８及び減算器３１が取り除かれ、水平信号線３４，３５に代えて水平信号線８２が設けられている。
【００９２】
本実施の形態では、各カラム回路２６のアップダウンカウンタ８１には、制御パルス発生回路２９から、アップダウンカウンタ８１がダウンカウントモードで動作するのかアップカウントモードで動作するのかを指示するための制御信号φＵＤが入力されている。また、アップダウンカウンタ８１には、制御パルス発生回路２９からカウントクロックφＣＬＫも入力されている。制御信号φＵＤ及びカウントクロックφＣＬＫはそれぞれ、各カラム回路２６のアップダウンカウンタ８１に共通して入力される。さらに、アップダウンカウンタ８１には、対応するコンパレータＣＯＭの出力信号も入力されている。
【００９３】
アップダウンカウンタ８１は、ｎ行目の読み出し期間の垂直転送期間Ｔｎにおいて、第１の期間ｔ１１−ｔ１２におけるランプ信号Ｖｒａｍｐの変化開始時点ｔ１１から第１の期間ｔ１１−ｔ１２におけるコンパレータＣＯＭの出力信号Ｖｏｕｔの反転時点まで、ダウンカウントモード及びアップカウントモードのうちの一方のモードでカウントクロックφＣＬＫをカウントし、その反転時点でのカウント値を保持する。また、アップダウンカウンタ８１は、ｎ行目の読み出し期間の垂直転送期間Ｔｎにおいて、第２の期間ｔ１７−ｔ１８におけるランプ信号Ｖｒａｍｐの変化開始時点ｔ１７から第２の期間ｔ１７−ｔ１８におけるコンパレータＣＯＭの出力信号Ｖｏｕｔの反転時点まで、ダウンカウントモード及びアップカウントモードのうちの他方のモードで、先に保持されていたカウント値からカウントクロックφＣＬＫをカウントし、その反転時点でのカウント値を保持する。この保持されたカウント値は、前記第１の実施の形態において、データ記憶部５２のラッチＡに記憶されたカウント値とデータ記憶部５２のラッチＢに記憶されたカウント値の差分と等価である。
【００９４】
ｎ行目の読み出し期間の垂直転送期間Ｔｎが終了すると、引き続いてｎ行目の読み出し期間の水平転送期間となる。この水平転送期間において、水平走査回路３０は、制御パルス発生回路２９からの制御信号に従って、水平走査を行い、各列のカラム回路２６のアップダウンカウンタ８１に保持されているカウント値を順次ｍビットの水平信号線８２を介して出力回路３２に送出させる。出力回路３２は、受け取ったデジタル値を、所定の信号形式の信号に変換し、画像データとして外部（図１中のデジタル信号処理部６）へ出力させる。
【００９５】
以上、ｎ行目の読み出し期間について説明したが、他の行の読み出し期間の動作も、ｎ行目の読み出し期間の動作と同様である。
【００９６】
本実施の形態によっても、前記第１の実施の形態と同様の利点が得られる。
【００９７】
なお、固体撮像装置４に対する前述の変形例と同様の変形を、本実施の形態における固体撮像装置３０４に対して適用してもよい。
【００９８】
以上、本発明の各実施の形態及びその変形例について説明したが、本発明はこれらに限定されるものではない。
【００９９】
例えば、前記第１及び第２の実施の形態において、各カラム回路２６において増幅部５１に代わる増幅部として単なる反転増幅器を用いてもよい。また、例えば、各カラム回路２６においてにおいて、増幅部５１を取り除いて、垂直信号線２３をサンプリングスイッチＳＷ１に直接に接続してもよい。
【符号の説明】
【０１００】
１  電子カメラ
２１  画素
２３  垂直信号線
２６  カラム回路（信号処理部）
６１  第１の配線
６２  第２の配線
ＣＯＭ  コンパレータ
【図１】
2013179479.tif 000003
【図２】
2013179479.tif 000004
【図３】
2013179479.tif 000005
【図４】
2013179479.tif 000006
【図５】
2013179479.tif 000007
【図６】
2013179479.tif 000008
【図７】
2013179479.tif 000009
【図８】
2013179479.tif 000010
【図９】
2013179479.tif 000011
【図１０】
2013179479.tif 000012
【図１１】
2013179479.tif 000013
【図１２】
2013179479.tif 000014
【図１３】
2013179479.tif 000015